(57)【要約】【課題】表示する映像をフルセグメント放送の映像とワンセグメント放送の映像との間で切り替える際、急激な画質の変化を抑えることができる地上デジタルテレビ放送受信装置を得る。【解決手段】映像品質調整部５は、映像表示部９がフルセグメント放送の映像を表示しているときに地上デジタルテレビ放送の受信品質が第１の品質を下回ると、フルセグメント放送の映像品質をワンセグメント放送の映像品質相当とし、映像切替部７は、地上デジタルテレビ放送の受信品質が第１の品質よりも低い第２の品質を下回ると、映像表示部９が表示する映像をワンセグメント放送の映像品質相当とされたフルセグメント放送の映像から、ワンセグメント放送の映像に切り替える。【選択図】図１
2019216308.tif 000002
【特許請求の範囲】
【請求項１】
映像表示部が表示する映像をフルセグメント放送の映像とワンセグメント放送の映像との間で切り替える映像切替部と、
フルセグメント放送の映像品質を調整する映像品質調整部とを備え、
前記映像品質調整部は、前記映像表示部がフルセグメント放送の映像を表示しているときに地上デジタルテレビ放送の受信品質が第１の品質を下回ると、フルセグメント放送の映像品質をワンセグメント放送の映像品質相当とし、
前記映像切替部は、前記受信品質が前記第１の品質よりも低い第２の品質を下回ると、前記映像表示部が表示する映像をワンセグメント放送の映像品質相当とされたフルセグメント放送の映像から、ワンセグメント放送の映像に切り替えることを特徴とする地上デジタルテレビ放送受信装置。
【請求項２】
音声出力部が出力する音声をフルセグメント放送の音声とワンセグメント放送の音声との間で切り替える音声切替部と、
フルセグメント放送の音声品質を調整する音声品質調整部とを備え、
前記音声品質調整部は、前記音声出力部がフルセグメント放送の音声を出力しているときに前記受信品質が第３の品質を下回ると、フルセグメント放送の音声品質をワンセグメント放送の音声品質相当とし、
前記音声切替部は、前記受信品質が前記第３の品質よりも低い第４の品質を下回ると、前記音声出力部が出力する音声をワンセグメント放送の音声品質相当とされたフルセグメント放送の音声から、ワンセグメント放送の音声に切り替えることを特徴とする請求項１記載の地上デジタルテレビ放送受信装置。
【請求項３】
映像表示部が表示する映像をフルセグメント放送の映像とワンセグメント放送の映像との間で切り替える映像切替部と、
フルセグメント放送の映像品質を調整する映像品質調整部とを備え、
前記映像品質調整部は、前記映像表示部がワンセグメント放送の映像を表示しているときにフルセグメント放送の映像品質をワンセグメント放送の映像品質相当とし、
前記映像切替部は、地上デジタルテレビ放送の受信品質が第５の品質を上回ると、前記映像表示部が表示する映像をワンセグメント放送の映像から、ワンセグメント放送の映像品質相当とされたフルセグメント放送の映像に切り替えることを特徴とする地上デジタルテレビ放送受信装置。
【請求項４】
音声出力部が出力する音声をフルセグメント放送の音声とワンセグメント放送の音声との間で切り替える音声切替部と、
フルセグメント放送の音声品質を調整する音声品質調整部とを備え、
前記音声品質調整部は、前記音声出力部がワンセグメント放送の音声を出力しているときにフルセグメント放送の音声品質をワンセグメント放送の音声品質相当とし、
前記音声切替部は、前記受信品質が第６の品質を上回ると、前記音声出力部が出力する音声をワンセグメント放送の音声から、ワンセグメント放送の音声品質相当とされたフルセグメント放送の音声に切り替えることを特徴とする請求項３記載の地上デジタルテレビ放送受信装置。
【請求項５】
前記第２の品質と前記第４の品質は、互いに異なることを特徴とする請求項２記載の地上デジタルテレビ放送受信装置。
【請求項６】
前記第５の品質と前記第６の品質は、互いに異なることを特徴とする請求項４記載の地上デジタルテレビ放送受信装置。
【請求項７】
フルセグメント放送の映像とワンセグメント放送の映像間の時間差、又は、フルセグメント放送の音声とワンセグメント放送の音声間の時間差を解消する遅延部を備えることを特徴とする請求項１から請求項６のうちのいずれか１項記載の地上デジタルテレビ放送受信装置。
【請求項８】
請求項１から請求項７のうちのいずれか１項記載の地上デジタルテレビ放送受信装置を備えることを特徴とする車載情報装置。
【請求項９】
コンピュータを、請求項１から請求項７のうちのいずれか１項記載の地上デジタルテレビ放送受信装置として機能させるためのプログラム。
【発明の詳細な説明】
【技術分野】
【０００１】
この発明は、地上デジタルテレビ放送を受信する地上デジタルテレビ放送受信装置に関するものである。
【背景技術】
【０００２】
地上デジタルテレビ放送には、フルセグメント放送（以下、「フルセグ」という）とワンセグメント放送（以下、「ワンセグ」という）という２つのモードが存在する。品質の点では、フルセグの方がワンセグよりも高画質である。一方、受信可能エリアは、ワンセグの方がフルセグよりも広い。したがって、地上デジタルテレビ放送受信装置には、例えば特許文献１のデジタル放送受信機のように、受信環境に応じてフルセグとワンセグとを切り替える機能を搭載したものがある。
【先行技術文献】
【特許文献】
【０００３】
【特許文献１】特開２００９―２７８４４６号公報
【発明の概要】
【発明が解決しようとする課題】
【０００４】
しかしながら、フルセグとワンセグとでは映像品質に差があるので、切り替えの際、急激な画質の変化がユーザに違和感を与えてしまう。
【０００５】
この発明は、上記のような課題を解決するためになされたもので、表示する映像をフルセグの映像とワンセグの映像との間で切り替える際、急激な画質の変化を抑えることができる地上デジタルテレビ放送受信装置を得ることを目的とする。
【課題を解決するための手段】
【０００６】
この発明に係る地上デジタルテレビ放送受信装置は、映像表示部が表示する映像をフルセグメント放送の映像とワンセグメント放送の映像との間で切り替える映像切替部と、フルセグメント放送の映像品質を調整する映像品質調整部とを備え、映像品質調整部は、映像表示部がフルセグメント放送の映像を表示しているときに地上デジタルテレビ放送の受信品質が第１の品質を下回ると、フルセグメント放送の映像品質をワンセグメント放送の映像品質相当とし、映像切替部は、受信品質が第１の品質よりも低い第２の品質を下回ると、映像表示部が表示する映像をワンセグメント放送の映像品質相当とされたフルセグメント放送の映像から、ワンセグメント放送の映像に切り替えることを特徴とするものである。
【発明の効果】
【０００７】
この発明によれば、表示する映像をフルセグの映像とワンセグの映像との間で切り替える際、急激な画質の変化を抑えることができる。
【図面の簡単な説明】
【０００８】
【図１】実施の形態１に係る地上デジタルテレビ放送受信装置の構成を示す図である。
【図２】図２Ａ及び図２Ｂは、実施の形態１に係る地上デジタルテレビ放送受信装置のハードウェア構成例を示す図である。
【図３】映像品質調整部、音声品質調整部、映像切替部及び音声切替部の処理の詳細について一例を説明するための図である。
【図４】図３で示した映像品質調整部及び映像切替部による処理を、フローチャートとして示す図である。
【図５】図３で示した音声品質調整部及び音声切替部による処理を、フローチャートとして示す図である。
【図６】実施の形態２に係る地上デジタルテレビ放送受信装置の構成を示す図である。
【発明を実施するための形態】
【０００９】
実施の形態１．
図１は、実施の形態１に係る地上デジタルテレビ放送受信装置１の構成を示す図である。地上デジタルテレビ放送受信装置１は、例えば、カーナビゲーション装置等の車載情報装置に備えられている。または、地上デジタルテレビ放送受信装置１は、携帯電話等の持ち運び可能な携帯端末に備えられていてもよい。地上デジタルテレビ放送受信装置１は、ワンセグとフルセグとを含んだ地上デジタルテレビ放送の受信が可能な装置である。
【００１０】
地上デジタルテレビ放送受信装置１は、受信部２、ワンセグデコーダ３、フルセグデコーダ４、映像品質調整部５、音声品質調整部６、映像切替部７及び音声切替部８を有する。地上デジタルテレビ放送受信装置１は、映像表示部９及び音声出力部１０と電気的に接続される。
【００１１】
受信部２は、地上デジタルテレビ放送の放送波を受信した不図示のアンテナから、受信信号を取得する。受信部２は、チューナ部２ａ及び復調部２ｂを有する。チューナ部２ａは、不図示のアンテナから取得した受信信号から、ユーザが選択した番組の放送局に対応する信号を抽出し、復調部２ｂへ出力する。復調部２ｂは、チューナ部２ａが出力した信号を復調し、誤り訂正処理等を施した後、ＴＳ（Ｔｒａｎｓｐｏｒｔ  Ｓｔｒｅａｍ）データとしてワンセグデコーダ３及びフルセグデコーダ４へ出力する。
【００１２】
ワンセグデコーダ３は、ワンセグの符号化形式に対応したデコード処理を行う。ワンセグデコーダ３は、復調部２ｂが出力したＴＳデータをデコードして、ワンセグの映像データを映像切替部７へ出力し、ワンセグの音声データを音声切替部８へ出力する。
【００１３】
フルセグデコーダ４は、フルセグの符号化形式に対応したデコード処理を行う。フルセグデコーダ４は、復調部２ｂが出力したＴＳデータをデコードして、フルセグの映像データを映像品質調整部５へ出力し、フルセグの音声データを音声品質調整部６へ出力する。
【００１４】
映像品質調整部５は、フルセグデコーダ４が出力した映像データに対し、当該映像データが示す映像の品質を調整する処理を行う。映像品質調整部５は、処理後の映像データを映像切替部７へ出力する。フルセグデコーダ４が出力した映像データは、フルセグの映像を示している。映像品質調整部５は、例えば、解像度を変更する処理又はビットレートを変更する処理を行うことで、フルセグの映像品質を調整する。
【００１５】
音声品質調整部６は、フルセグデコーダ４が出力した音声データに対し、当該音声データが示す音声の品質を調整する処理を行う。音声品質調整部６は、処理後の音声データを音声切替部８へ出力する。フルセグデコーダ４が出力した音声データは、フルセグの音声を示している。音声品質調整部６は、例えば、ビットレートを変更する処理を行うことで、フルセグの音声品質を調整する。
【００１６】
映像切替部７は、ワンセグデコーダ３が出力したワンセグの映像データと、映像品質調整部５が出力したフルセグの映像データとを、選択的に映像表示部９へ出力する。つまり、映像切替部７は、映像表示部９が表示する映像をフルセグの映像とワンセグの映像との間で切り替える。
【００１７】
音声切替部８は、ワンセグデコーダ３が出力したワンセグの音声データと、音声品質調整部６が出力したフルセグの音声データとを、選択的に音声出力部１０へ出力する。つまり、音声切替部８は、音声出力部１０が出力する音声をフルセグの音声とワンセグの音声との間で切り替える。
【００１８】
映像品質調整部５、音声品質調整部６、映像切替部７及び音声切替部８の処理の詳細については、図３を用いて後述する。
【００１９】
映像表示部９は、映像切替部７が出力した映像データが示す映像を表示する。映像表示部９は、例えば液晶ディスプレイ又は有機ＥＬ（Ｅｌｅｃｔｒｏ Ｌｕｍｉｎｅｓｃｅｎｃｅ）ディスプレイである。
【００２０】
音声出力部１０は、音声切替部８が出力した音声データが示す音声を出力する。音声出力部１０は、例えばスピーカ又はイヤホンである。
【００２１】
次に、地上デジタルテレビ放送受信装置１のハードウェア構成例について、図２Ａ及び図２Ｂを用いて説明する。
受信部２、ワンセグデコーダ３、フルセグデコーダ４、映像品質調整部５、音声品質調整部６、映像切替部７及び音声切替部８の各部の機能は、処理回路により実現される。当該処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは、中央処理装置、処理装置、演算装置、マイクロプロセッサ、マイクロコンピュータ、プロセッサ又はＤＳＰ（Ｄｉｇｉｔａｌ  Ｓｉｇｎａｌ  Ｐｒｏｃｅｓｓｏｒ）とも呼ばれる。
【００２２】
図２Ａは、受信部２、ワンセグデコーダ３、フルセグデコーダ４、映像品質調整部５、音声品質調整部６、映像切替部７及び音声切替部８の各部の機能を、専用のハードウェアである処理回路１０１で実現した場合のハードウェア構成例を示す図である。処理回路１０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、若しくはＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。受信部２、ワンセグデコーダ３、フルセグデコーダ４、映像品質調整部５、音声品質調整部６、映像切替部７及び音声切替部８の各部の機能を別個の処理回路１０１を組み合わせて実現してもよいし、受信部２、ワンセグデコーダ３、フルセグデコーダ４、映像品質調整部５、音声品質調整部６、映像切替部７及び音声切替部８の各部の機能を１つの処理回路１０１で実現してもよい。
【００２３】
図２Ｂは、受信部２、ワンセグデコーダ３、フルセグデコーダ４、映像品質調整部５、音声品質調整部６、映像切替部７及び音声切替部８の各部の機能を、メモリ１０２に格納されるプログラムを実行するＣＰＵ１０３で実現した場合のハードウェア構成例を示す図である。この場合、受信部２、ワンセグデコーダ３、フルセグデコーダ４、映像品質調整部５、音声品質調整部６、映像切替部７及び音声切替部８の各部の機能は、ソフトウェア、ファームウェア、又はソフトウェアとファームウェアとの組合せにより実現される。ソフトウェア及びファームウェアはプログラムとして記述され、メモリ１０２に格納される。ＣＰＵ１０３は、メモリ１０２に格納されたプログラムを読み出して実行することにより、受信部２、ワンセグデコーダ３、フルセグデコーダ４、映像品質調整部５、音声品質調整部６、映像切替部７及び音声切替部８の各部の機能を実現する。すなわち、地上デジタルテレビ放送受信装置１は、後述する図４及び図５のフローチャートで示すステップＳＴ１〜ステップＳＴ９及びステップＳＴ１１〜ステップＳＴ１９が結果的に実行されることになるプログラム等を格納するためのメモリ１０２を有する。また、これらのプログラムは、受信部２、ワンセグデコーダ３、フルセグデコーダ４、映像品質調整部５、音声品質調整部６、映像切替部７及び音声切替部８の各部の手順又は方法をコンピュータに実行させるものであるとも言える。ここで、メモリ１０２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、若しくはＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性若しくは揮発性の半導体メモリ、又は、磁気ディスク、フレキシブルディスク、光ディスク、コンパクトディスク、ミニディスク、若しくはＤＶＤ（Ｄｉｇｉｔａｌ  Ｖｅｒｓａｔｉｌｅ  Ｄｉｓｃ）等のディスク状の記録媒体が該当する。
【００２４】
なお、受信部２、ワンセグデコーダ３、フルセグデコーダ４、映像品質調整部５、音声品質調整部６、映像切替部７及び音声切替部８の各部の機能について、一部を専用のハードウェアで実現し、一部をソフトウェア又はファームウェアで実現するようにしてもよい。例えば、受信部２、ワンセグデコーダ３及びフルセグデコーダ４については専用のハードウェアとしての処理回路でその機能を実現し、映像品質調整部５、音声品質調整部６、映像切替部７及び音声切替部８については処理回路がメモリに格納されたプログラムを読み出して実行することによってその機能を実現することが可能である。
【００２５】
このように、処理回路は、ハードウェア、ソフトウェア、ファームウェア又はこれらの組合せによって、上記の受信部２、ワンセグデコーダ３、フルセグデコーダ４、映像品質調整部５、音声品質調整部６、映像切替部７及び音声切替部８の各部の機能を実現することができる。
【００２６】
次に、映像品質調整部５、音声品質調整部６、映像切替部７及び音声切替部８の処理の詳細について、図３を用いて一例を説明する。
図３には、映像表示部９の表示モード、音声出力部１０の出力モード、映像品質調整部５により処理された後のフルセグの映像品質、及び、音声品質調整部６により処理された後のフルセグの音声品質が、地上デジタルテレビ放送の受信品質とどのような関係にあるかが示されている。
地上デジタルテレビ放送の受信品質は、例えば受信部２にて判定される。受信部２は、Ｃ／Ｎ（Ｃａｒｒｉｅｒ  ｔｏ  Ｎｏｉｓｅ）比、又は、ＢＥＲ（Ｂｉｔ Ｅｒｒｏｒ Ｒａｔｅ）等を用いて受信品質を判定する。受信部２は、判定した受信品質を映像品質調整部５、音声品質調整部６、映像切替部７及び音声切替部８へ出力する。
【００２７】
映像表示部９の表示モード及び音声出力部１０の出力モードがフルセグであり、ユーザには、フルセグの映像及びフルセグの音声が提供されているとする。つまり、映像切替部７は、映像品質調整部５が出力したフルセグの映像データを映像表示部９へ出力し、音声切替部８は、音声品質調整部６が出力したフルセグの音声データを音声出力部１０へ出力している。このとき、地上デジタルテレビ放送の受信品質が第７の品質を上回っていれば、映像品質調整部５はフルセグの映像品質を調整する処理は行わず、音声品質調整部６はフルセグの音声品質を調整する処理は行わない。つまり、映像表示部９が表示する映像は、フルセグの映像であって、フルセグのオリジナルの映像品質となっている。同様に、音声出力部１０が出力する音声は、フルセグの音声であって、フルセグのオリジナルの音声品質となっている。
【００２８】
そして、地上デジタルテレビ放送の受信品質が下がっていき、第７の品質を下回った場合、映像品質調整部５はフルセグの映像品質を調整する処理を行い、音声品質調整部６はフルセグの音声品質を調整する処理を行う。具体的には、映像品質調整部５は、地上デジタルテレビ放送の受信品質に応じてフルセグの映像品質を調整し、地上デジタルテレビ放送の受信品質が低いほど、フルセグの映像品質を低下させる。また、音声品質調整部６は、地上デジタルテレビ放送の受信品質に応じてフルセグの音声品質を調整し、地上デジタルテレビ放送の受信品質が低いほど、フルセグの音声品質を低下させる。
【００２９】
そして、地上デジタルテレビ放送の受信品質が第７の品質よりも低い第３の品質を下回ると、音声品質調整部６は、フルセグの音声品質をワンセグの音声品質相当に調整する。
また、地上デジタルテレビ放送の受信品質が第３の品質よりも低い第１の品質を下回ると、映像品質調整部５は、フルセグの映像品質をワンセグの映像品質相当に調整する。
なお、図３においては、第１の品質が第３の品質より低いものとして設定されているが、第１の品質は、第３の品質と同じ又は第３の品質より高いものとして設定されてもよい。
【００３０】
そして、地上デジタルテレビ放送の受信品質が第３の品質よりも低い第４の品質を下回ると、音声切替部８は、音声出力部１０への出力を、音声品質調整部６が出力したフルセグの音声データから、ワンセグデコーダ３が出力したワンセグの音声データへ切り替える。つまり、音声切替部８は、音声出力部１０が出力する音声を、ワンセグの音声品質相当とされたフルセグの音声から、ワンセグの音声に切り替える。このように、ユーザが聞く音声は、品質の連続性が保たれた状態で切り替わる。フルセグの音声からワンセグの音声へ切り替わる前後で音声品質は同等であるので、ユーザが認知する音質について、急激な変化を抑えることができる。したがって、ユーザに違和感を与えることはない。
【００３１】
そして、地上デジタルテレビ放送の受信品質が第１の品質よりも低い第２の品質を下回ると、映像切替部７は、映像表示部９への出力を、映像品質調整部５が出力したフルセグの映像データから、ワンセグデコーダ３が出力したワンセグの映像データへ切り替える。つまり、映像切替部７は、映像表示部９が表示する映像を、ワンセグの映像品質相当とされたフルセグの映像から、ワンセグの映像に切り替える。このように、ユーザが見る映像は、品質の連続性が保たれた状態で切り替わる。フルセグの映像からワンセグの映像へ切り替わる前後で映像品質は同等であるので、ユーザが認知する画質について、急激な変化を抑えることができる。したがって、ユーザに違和感を与えることはない。
なお、図３においては、第２の品質が第４の品質より低いものとして設定されているが、第２の品質は、第４の品質と同じ又は第４の品質より高いものとして設定されてもよい。第２の品質と第４の品質とが互いに異なると、映像を切り替えるタイミングと音声を切り替えるタイミングとがずれ、双方のタイミングが同じ場合に比べてユーザに与える違和感を小さくすることができる。
【００３２】
ワンセグデコーダ３が出力したワンセグの映像データを映像切替部７が映像表示部９へ出力しているときには、映像品質調整部５は、フルセグの映像品質をワンセグの映像品質相当に調整してフルセグの映像データを映像切替部７へ出力している。また、ワンセグデコーダ３が出力したワンセグの音声データを音声切替部８が音声出力部１０へ出力しているときには、音声品質調整部６は、フルセグの音声品質をワンセグの音声品質相当に調整してフルセグの音声データを音声切替部８へ出力している。
【００３３】
そして、地上デジタルテレビ放送の受信品質が第５の品質を上回ると、映像切替部７は、映像表示部９への出力を、ワンセグデコーダ３が出力したワンセグの映像データから映像品質調整部５が出力したフルセグの映像データへ切り替える。つまり、映像切替部７は、映像表示部９が表示する映像を、ワンセグの映像からワンセグの映像品質相当とされたフルセグの映像に切り替える。このように、ユーザが見る映像は、品質の連続性が保たれた状態で切り替わる。ワンセグの映像からフルセグの映像へ切り替わる前後で映像品質は同等であるので、ユーザが認知する画質について、急激な変化を抑えることができる。したがって、ユーザに違和感を与えることはない。
映像表示部９が表示する映像がフルセグの映像へ切り替わった後、映像品質調整部５は、図３に示すようにフルセグの映像品質を地上デジタルテレビ放送の受信品質に対応させた品質に調整する。地上デジタルテレビ放送の受信品質が良化すれば、フルセグのオリジナルの映像品質まで、映像表示部９が表示するフルセグの映像も良化する。
なお、図３においては、第５の品質が第２の品質と同じものとして設定されているが、第５の品質は、チャタリングを防止するために第２の品質と異なるものとして設定されてもよい。また、図３における第８の品質は、フルセグの受信限界を示している。
【００３４】
そして、地上デジタルテレビ放送の受信品質が第６の品質を上回ると、音声切替部８は、音声出力部１０への出力を、ワンセグデコーダ３が出力したワンセグの音声データから音声品質調整部６が出力したフルセグの音声データへ切り替える。つまり、音声切替部８は、音声出力部１０が出力する音声を、ワンセグの音声からワンセグの音声品質相当とされたフルセグの音声に切り替える。このように、ユーザが聞く音声は、品質の連続性が保たれた状態で切り替わる。ワンセグの音声からフルセグの音声へ切り替わる前後で音声品質は同等であるので、ユーザが認知する音質について、急激な変化を抑えることができる。したがって、ユーザに違和感を与えることはない。
音声出力部１０が出力する音声がフルセグの音声へ切り替わった後、音声品質調整部６は、図３に示すようにフルセグの音声品質を地上デジタルテレビ放送の受信品質に対応させた品質に調整する。地上デジタルテレビ放送の受信品質が良化すれば、フルセグのオリジナルの音声品質まで、音声出力部１０が出力するフルセグの音声も良化する。
なお、図３においては、第６の品質が第４の品質と同じものとして設定されているが、第６の品質は、チャタリングを防止するために第４の品質と異なるものとして設定されてもよい。また、図３においては、第５の品質が第６の品質より低いものとして設定されているが、第５の品質は、第６の品質と同じ又は第６の品質より高いものとして設定されてもよい。第５の品質と第６の品質とが互いに異なると、映像を切り替えるタイミングと音声を切り替えるタイミングとがずれ、双方のタイミングが同じ場合に比べてユーザに与える違和感を小さくすることができる。
【００３５】
図４は、図３で示した映像品質調整部５及び映像切替部７による処理を、フローチャートとして示している。図４に示すフローチャートは、周期的に繰り返し行われる。
映像品質調整部５は、映像表示部９でフルセグの映像が表示されているかを判定する（ステップＳＴ１）。ステップＳＴ１の判定のために、映像切替部７は、ワンセグデコーダ３からの映像データと映像品質調整部５からの映像データのどちらを映像表示部９へ出力しているかを映像品質調整部５に通知する。
【００３６】
映像表示部９でフルセグの映像が表示されている場合（ステップＳＴ１；ＹＥＳ）、映像品質調整部５は、地上デジタルテレビ放送の受信品質が第１の品質を下回るかを判定する（ステップＳＴ２）。
地上デジタルテレビ放送の受信品質が第１の品質を下回っていない場合（ステップＳＴ２；ＮＯ）、映像品質調整部５は、図３に示すようにフルセグの映像品質を地上デジタルテレビ放送の受信品質に対応させた品質に調整する処理を行う（ステップＳＴ３）。このとき、フルセグの映像は、少なくともワンセグの映像品質よりかは高い品質に調整される。
【００３７】
一方、地上デジタルテレビ放送の受信品質が第１の品質を下回る場合（ステップＳＴ２；ＹＥＳ）、映像品質調整部５は、フルセグの映像品質をワンセグの映像品質相当に調整する（ステップＳＴ４）。
続いて、映像切替部７は、地上デジタルテレビ放送の受信品質が第２の品質を下回るかを判定する（ステップＳＴ５）。
地上デジタルテレビ放送の受信品質が第２の品質を下回っていない場合（ステップＳＴ５；ＮＯ）、処理は終了する。
一方、地上デジタルテレビ放送の受信品質が第２の品質を下回る場合（ステップＳＴ５；ＹＥＳ）、映像切替部７は、映像表示部９への出力を切り替えて、映像表示部９が表示する映像をワンセグの映像とする（ステップＳＴ６）。
【００３８】
なお、映像表示部９でワンセグの映像が表示されている場合（ステップＳＴ１；ＮＯ）、映像品質調整部５は、フルセグの映像品質をワンセグの映像品質相当に調整する（ステップＳＴ７）。
続いて、映像切替部７は、地上デジタルテレビ放送の受信品質が第５の品質を上回るかを判定する（ステップＳＴ８）。
地上デジタルテレビ放送の受信品質が第５の品質を上回っていない場合（ステップＳＴ８；ＮＯ）、処理は終了する。
一方、地上デジタルテレビ放送の受信品質が第５の品質を上回る場合（ステップＳＴ８；ＹＥＳ）、映像切替部７は、映像表示部９への出力を切り替えて、映像表示部９が表示する映像をフルセグの映像とする（ステップＳＴ９）。
【００３９】
また、図５は、図３で示した音声品質調整部６及び音声切替部８による処理を、フローチャートとして示している。図５に示すフローチャートは、周期的に繰り返し行われる。
音声品質調整部６は、音声出力部１０からフルセグの音声が出力されているかを判定する（ステップＳＴ１１）。ステップＳＴ１１の判定のために、音声切替部８は、ワンセグデコーダ３からの音声データと音声品質調整部６からの音声データのどちらを音声出力部１０に出力しているかを音声品質調整部６に通知する。
【００４０】
音声出力部１０からフルセグの音声が出力されている場合（ステップＳＴ１１；ＹＥＳ）、音声品質調整部６は、地上デジタルテレビ放送の受信品質が第３の品質を下回るかを判定する（ステップＳＴ１２）。
地上デジタルテレビ放送の受信品質が第３の品質を下回っていない場合（ステップＳＴ１２；ＮＯ）、音声品質調整部６は、図３に示すようにフルセグの音声品質を地上デジタルテレビ放送の受信品質に対応させた品質に調整する処理を行う（ステップＳＴ１３）。このとき、フルセグの音声は、少なくともワンセグの音声品質よりかは高い品質に調整される。
【００４１】
一方、地上デジタルテレビ放送の受信品質が第３の品質を下回る場合（ステップＳＴ１２；ＹＥＳ）、音声品質調整部６は、フルセグの音声品質をワンセグの音声品質相当に調整する（ステップＳＴ１４）。
続いて、音声切替部８は、地上デジタルテレビ放送の受信品質が第４の品質を下回るかを判定する（ステップＳＴ１５）。
地上デジタルテレビ放送の受信品質が第４の品質を下回っていない場合（ステップＳＴ１５；ＮＯ）、処理は終了する。
一方、地上デジタルテレビ放送の受信品質が第４の品質を下回る場合（ステップＳＴ１５；ＹＥＳ）、音声切替部８は、音声出力部１０への出力を切り替えて、音声出力部１０が出力する音声をワンセグの音声とする（ステップＳＴ１６）。
【００４２】
なお、音声出力部１０からワンセグの音声が出力されている場合（ステップＳＴ１１；ＮＯ）、音声品質調整部６は、フルセグの音声品質をワンセグの音声品質相当に調整する（ステップＳＴ１７）。
続いて、音声切替部８は、地上デジタルテレビ放送の受信品質が第６の品質を上回るかを判定する（ステップＳＴ１８）。
地上デジタルテレビ放送の受信品質が第６の品質を上回っていない場合（ステップＳＴ１８；ＮＯ）、処理は終了する。
一方、地上デジタルテレビ放送の受信品質が第６の品質を上回る場合（ステップＳＴ１８；ＹＥＳ）、音声切替部８は、音声出力部１０への出力を切り替えて、音声出力部１０が出力する音声をフルセグの音声とする（ステップＳＴ１９）。
【００４３】
なお、上記では、フルセグの映像品質だけでなくフルセグの音声品質についても調整がされる場合を示した。しかしながら、地上デジタルテレビ放送受信装置１は、フルセグの音声品質の調整を行わなくてもよい。つまり、地上デジタルテレビ放送受信装置１は、音声品質調整部６を備えなくてもよい。フルセグとワンセグの映像品質の差は、ユーザに強い違和感を与える程度に大きいものであるが、フルセグとワンセグの音声品質の差は、ユーザに与える違和感があまり大きくないからである。
【００４４】
以上のように、この実施の形態１によれば、映像表示部９が表示する映像を映像切替部７によりフルセグの映像からワンセグの映像に切り替える際、フルセグの映像品質は映像品質調整部５によりワンセグの映像品質相当となっている。したがって、フルセグの映像からワンセグの映像に切り替える際に急激な画質の変化を抑えて、ユーザに違和感を与えないようにすることができる。
また、映像表示部９が表示する映像を映像切替部７によりワンセグの映像からフルセグの映像に切り替える際、フルセグの映像品質は映像品質調整部５によりワンセグの映像品質相当となっている。したがって、ワンセグの映像からフルセグの映像に切り替える際に急激な画質の変化を抑えて、ユーザに違和感を与えないようにすることができる。
【００４５】
また、地上デジタルテレビ放送受信装置１は、音声出力部１０が出力する音声をフルセグの音声とワンセグの音声との間で切り替える音声切替部８と、フルセグの音声品質を調整する音声品質調整部６とを備え、音声品質調整部６は、音声出力部１０がフルセグの音声を出力しているときに地上デジタルテレビ放送の受信品質が第３の品質を下回ると、フルセグの音声品質をワンセグの音声品質相当とし、音声切替部８は、地上デジタルテレビ放送の受信品質が第３の品質よりも低い第４の品質を下回ると、音声出力部１０が出力する音声をワンセグの音声品質相当とされたフルセグの音声から、ワンセグの音声に切り替える。したがって、音声を切り替える際に急激な音質の変化を抑えて、ユーザに違和感を与えないようにすることができる。
【００４６】
また、地上デジタルテレビ放送受信装置１は、音声出力部１０が出力する音声をフルセグの音声とワンセグの音声との間で切り替える音声切替部８と、フルセグの音声品質を調整する音声品質調整部６とを備え、音声品質調整部６は、音声出力部１０がワンセグの音声を出力しているときにフルセグの音声品質をワンセグの音声品質相当とし、音声切替部８は、地上デジタルテレビ放送の受信品質が第６の品質を上回ると、音声出力部１０が出力する音声をワンセグの音声から、ワンセグの音声品質相当とされたフルセグの音声に切り替える。したがって、音声を切り替える際に急激な音質の変化を抑えて、ユーザに違和感を与えないようにすることができる。
【００４７】
また、第２の品質と第４の品質は、互いに異なる。映像を切り替えるタイミングと音声を切り替えるタイミングとがずれることにより、双方のタイミングが同じ場合に比べてユーザに与える違和感を小さくすることができる。
【００４８】
また、第５の品質と第６の品質は、互いに異なる。映像を切り替えるタイミングと音声を切り替えるタイミングとがずれることにより、双方のタイミングが同じ場合に比べてユーザに与える違和感を小さくすることができる。
【００４９】
実施の形態２．
実施の形態２では、フルセグとワンセグとの時間差を解消し、切り替えの際にユーザが受ける違和感を更に抑えることができる形態について説明する。
図６は、実施の形態２に係る地上デジタルテレビ放送受信装置１Ａの構成を示す図である。なお、地上デジタルテレビ放送受信装置１Ａは、音声比較部１１、第１の遅延部１２及び第２の遅延部１３を有する点で地上デジタルテレビ放送受信装置１と異なる。第１の遅延部１２及び第２の遅延部１３によって、遅延部が構成される。実施の形態１で既に説明した構成と同一又は相当する機能を有する構成については、同一の符号を付し、その説明を省略又は簡略化する。音声比較部１１、第１の遅延部１２及び第２の遅延部１３は、例えば、図２Ａに示した処理回路１０１、又は、図２Ｂに示したメモリ１０２に格納されるプログラムを実行するＣＰＵ１０３により実現される。
【００５０】
音声比較部１１は、ワンセグデコーダ３から取得したワンセグの音声データとフルセグデコーダ４から取得したフルセグの音声データとを用いて、フルセグとワンセグの時間差を検出する。符号化形式の違い等に起因して、フルセグとワンセグとの間には時間差が生じる。音声比較部１１は、例えば周波数特性等を比較することで、フルセグとワンセグの時間差を検出する。
音声比較部１１は、フルセグとワンセグのうちどちらがどのくらい進んでいるか又は遅れているかを第１の遅延部１２及び第２の遅延部１３へ通知する。
【００５１】
第１の遅延部１２は、ワンセグデコーダ３が出力したワンセグの映像データの映像切替部７への出力タイミングを調整する。
第２の遅延部１３は、フルセグデコーダ４が出力したフルセグの映像データの映像品質調整部５への出力タイミングを調整する。
第１の遅延部１２及び第２の遅延部１３は、音声比較部１１からの通知を受けて、映像切替部７へ入力されるワンセグの映像データが示すワンセグの映像と、映像切替部７へ入力されるフルセグの映像データが示すフルセグの映像との間の時間差が解消されるように、映像データの出力タイミングを調整する。
このようにすることで、映像表示部９が表示する映像がフルセグの映像とワンセグの映像との間で切り替わる際、切替前後で映像切れが発生することなく映像は連続的につながる。したがって、ユーザに違和感を与えることはない。
【００５２】
第１の遅延部１２及び第２の遅延部１３は、上記した映像データについての処理を、音声データについて行ってもよい。
つまり、第１の遅延部１２は、ワンセグデコーダ３が出力したワンセグの音声データの音声切替部８への出力タイミングを調整する。
第２の遅延部１３は、フルセグデコーダ４が出力したフルセグの音声データの音声品質調整部６への出力タイミングを調整する。
第１の遅延部１２及び第２の遅延部１３は、音声比較部１１からの通知を受けて、音声切替部８へ入力されるワンセグの音声データが示すワンセグの音声と、音声切替部８へ入力されるフルセグの音声データが示すフルセグの音声との間の時間差が解消されるように、音声データの出力タイミングを調整する。
このようにすることで、音声出力部１０が出力する音声がフルセグの音声とワンセグの音声との間で切り替わる際、切替前後で音飛びが発生することなく音声は連続的につながる。したがって、ユーザに違和感を与えることはない。
【００５３】
以上のように、この実施の形態２によれば、第１の遅延部１２及び第２の遅延部１３によってフルセグの映像とワンセグの映像間の時間差、又は、フルセグの音声とワンセグの音声間の時間差が解消される。したがって、切り替えの際にユーザが受ける違和感を実施の形態１の場合と比べて更に抑えることができる。
【００５４】
なお、本願発明はその発明の範囲内において、各実施の形態の自由な組み合わせ、あるいは各実施の形態の任意の構成要素の変形、もしくは各実施の形態においての任意の構成要素の省略が可能である。
【符号の説明】
【００５５】
１，１Ａ  地上デジタルテレビ放送受信装置、２  受信部、２ａ  チューナ部、２ｂ  復調部、３  ワンセグデコーダ、４  フルセグデコーダ、５  映像品質調整部、６  音声品質調整部、７  映像切替部、８  音声切替部、９  映像表示部、１０  音声出力部、１１  音声比較部、１２  第１の遅延部、１３  第２の遅延部、１０１  処理回路、１０２  メモリ、１０３  ＣＰＵ。
【図１】
2019216308.tif 000003
【図２】
2019216308.tif 000004
【図３】
2019216308.tif 000005
【図４】
2019216308.tif 000006
【図５】
2019216308.tif 000007
【図６】
2019216308.tif 000008